(57)【特許請求の範囲】
【請求項１】
被測定信号の特定の信号変化に要する時間を測定し、該測定された時間に基づいてジッタ値を算出するジッタアナライザにおいて、
指定されたゲート時間に対しアナログメータの指針の変化が連続的な動きとして視認できるように分割した複数の測定時間を設定する測定時間設定部と、前記設定された測定時間に基づいて被測定信号の時間測定を逐次行う時間測定部と、時間測定部で逐次得られた測定データを記憶する測定データ記憶部と、前記時間測定部で新たに１つの前記測定時間について測定データが得られると、それ迄の前記ゲート時間内に得られた測定データに基づいてジッタ値を算出するジッタ算出部と、該ジッタ算出部で算出されたジッタ値を出力するアナログメータを有する出力部とを備えることを特徴とするジッタアナライザ。
【請求項２】
前記測定データ記憶部は、ゲート時間の指定が変更されるとその記憶を全て破棄する、請求項１に記載のジッタアナライザ。
【請求項３】
前記出力部がＤ／Ａコンバータと出力回路を備えた請求項１に記載のジッタアナライザ。
【発明の詳細な説明】
【０００１】
【発明の属する技術分野】
本発明は、ディジタル式ジッタアナライザ(以下、ジッタアナライザと呼ぶ)に関し、より詳細には、ディジタル処理によりジッタ値を求めるジッタアナライザに関するものである。
【０００２】
【従来の技術】
ジッタアナライザは、被測定信号の特定の信号変化に要する時間を測定し、該測定された時間に基づいてジッタ値を算出して、アナログメータで表示する測定装置である。
【０００３】
図５は、従来のジッタアナライザのブロック図である。測定時間設定部１は、指定された装置の動作速度を勘案して設定されるゲート時間を測定制御情報１０２として時間測定部２に入力する。時間測定部２は、測定制御情報１０２のゲート時間に従って、被測定信号１０１の時間測定を行い、測定データ１０３をアクイジションメモリ１０に格納する。ジッタ算出部３は、測定データ１０３を読み出しジッタ値を計算して、計測ジッタ値１０４としてジッタ値メモリ４に格納する。メータ制御部５は、ジッタ値メモリ４から計測ジッタ値１０４を読み出し、電圧値１０５に変換してメータ部６に入力する。メータ部６は、電圧値１０５に基づいてアナログメータの指針を駆動する。
【０００４】
【発明が解決しようとする課題】
上記従来の従来のジッタアナライザでは、測定時間設定部１で指定されるゲート時間は、ジッタ値を計算するために必要な時間を勘案して数百ｍｓ程度に設定される。ここで、メータ部６の指針は、ジッタ値が更新されるゲート時間ごとに変動し、これに従ってメータ部６の指針が離散的に動くため、アナログメータによる測定感覚を満足できなかった。
【０００５】
本発明は、上記したような従来の技術が有する問題点を解決するためになされたものであり、確度の高い測定値が得られ、且つ、連続的に測定変化を視認できるジッタアナライザを提供することを目的とする。
【０００６】
【課題を解決するための手段】
上記目的を達成するために、本発明のジッタアナライザは、被測定信号の特定の信号変化に要する時間を測定し、該測定された時間に基づいてジッタ値を算出するジッタアナライザにおいて、指定されたゲート時間に対しアナログメータの指針の変化が連続的な動きとして視認できるように分割した複数の測定時間を設定する測定時間設定部と、前記設定された測定時間に基づいて被測定信号の時間測定を逐次行う時間測定部と、時間測定部で逐次得られた測定データを記憶する測定データ記憶部と、前記時間測定部で新たに１つの前記測定時間について測定データが得られると、それ迄の前記ゲート時間内に得られた測定データに基づいてジッタ値を算出するジッタ算出部と、該ジッタ算出部で算出されたジッタ値を出力するアナログメータを有する出力部とを備えることを特徴とする。
【０００７】
本発明のジッタアナライザは、測定データを数値化してから電圧値を求めるまでの過程が全てディジタル的に処理されるので、測定確度の高いジッタ値が求められ、且つ、ゲート時間を数回に分割した測定時間ごとにジッタ値が更新されるので、出力部のアナログメータの指針が滑らかに視認され、アナログ表示による測定感覚を満足する。
【０００８】
本発明のジッタアナライザでは、前記測定データ記憶部は、ゲート時間の指定が変更されるとその記憶を全て破棄することが好ましい。この場合、測定中にゲート時間を変更されても、ゲート時間に対応する正しいジッタ値が出力される。
【０００９】
前記出力部がＤ／Ａコンバータと出力回路を備えることも本発明の好ましい態様である。この場合、滑らかなジッタ信号の出力波形を観測できる。
【００１０】
【発明の実施の形態】
以下、本発明の実施形態例に基づいて、本発明のジッタアナライザについて図面を参照して説明する。図１は、本発明の一実施形態例のジッタアナライザのブロック図である。本実施形態例のジッタアナライザは、指定されたゲート時間に基づて、信号測定時間及び測定分割数を設定する測定時間設定部１、被測定信号の時間測定を行う時間測定部２、ジッタ値を計算するジッタ算出部３、求められたジッタ値を保持するジッタ値メモリ４、ジッタ値をアナログ信号に変換するメータ制御部５、アナログメータを有するメータ部６、分割数を保持する分割数メモリ７、測定回数を保持するカウンタメモリ８、全測定データを加算したデータを保持する加算メモリ９、及び、個々の測定データを別々に保持する１０個のアクイジションメモリ（測定デ―タ記憶部）１１〜２１で構成される。
【００１１】
図２は、図１のジッタアナライザの前面の様子を示す。ジッタアナライザは、アナログメータを成すメータ部６が前面の左側に配置され、測定時間設定部１の操作パネル部分が前面の右側上方に配置され、時間測定部２の入力を成すデータ入力部３１及びクロック入力部３２が前面の右側下方に配置される。測定者は、データ入力部３１及びクロック入力部３２から被測定信号を入力し、所定のゲート時間を測定時間設定部１の操作パネル部分から指定する。
【００１２】
図３は、図１のジッタアナライザによる時間測定の動作を示すフローチャートである。測定時間設定部１は、新たなゲート時間の指定があるか否か判断する（ステップＳ１１）。“ＹＥＳ”の場合、新たなゲート時間に対して、測定時間及び分割数を設定する。ここで、アナログメータの動作が滑らかに視認できるメータ動作の最適時間は、一般的に１００ｍｓ程度である。指定されたゲート時間は、３００ｍｓである。時間設定部１は、測定時間の値をメータ動作最適時間と同じ１００ｍｓに設定し、分割数を３に設定して、３００ｍｓのゲート時間を１００ｍｓの測定時間の３回分に変換する。測定時間設定部１は、分割数メモリ７に“３”の分割数を格納し、カウンタメモリ８を“０”にリセットする。
【００１３】
測定時間設定部１は、１００ｍｓの測定時間、及び、時間測定部２に対する制御命令を測定制御情報１０２として時間測定部２に入力する。時間測定部２は、測定制御情報１０２を解読し測定開始の制御命令であると、アクイジションメモリ１１〜２１、及び、加算メモリ９の記憶内容をクリアする。時間測定部２は、分割数メモリ７の記憶内容の“３”を読み出し、３回分の測定データ１０３を格納するメモリとして３個のアクイジションメモリ１１〜１３を選択し、アクイジションメモリ１１を第１回目に、アクイジションメモリ１２を第２回目に、アクイジションメモリ１３を第３回目に、夫々使用できるように設定する（ステップＳ１２）。
【００１４】
時間測定部２は、カウンタメモリ８の記憶内容の“０”を読み出し、カウンタメモリ８の記憶内容を１インクリメントして“１”にする。ここで、カウンタメモリ８の記憶内容は、分割数メモリ７の記憶内容より大きくなると、強制的に“１”にリセットされる。時間測定部２は、次の時間測定が第１回目であることを認識し、被測定信号１０１を１００ｍｓの測定時間に基づいて時間測定し、第１回目の測定データ１０３をアクイジションメモリ１１に格納する（ステップＳ１３）。時間測定部２は、３個のアクイジションメモリ１１〜１３の記憶内容を全て加算し、加算メモリ９に格納する（ステップＳ１４）。
【００１５】
ジッタ算出部３は、加算メモリ９の記憶内容を読み出しジッタ計算を行い、計測ジッタ値１０４をジッタ値メモリ４に格納する（ステップＳ１５）。メータ制御部５は、ジッタ値メモリ４の記憶内容を読み出し電圧に変換して、電圧値１０５としてメータ部６に入力する。メータ部６は、電圧値１０５に基づいてアナログメータの指針を駆動する（ステップＳ１６）。
【００１６】
次にステップＳ１１に戻り、測定時間設定部１は、新たなゲート時間の指定があるか否か判断する。“ＮＯ”の場合、ジッタアナライザは、次の時間測定が第２回目であることを認識し、ステップＳ１３〜Ｓ１６を同様に実行し、更に第２回目以降も同様に実行する。
【００１７】
図４（ａ）〜（ｄ）は、図３の時間測定の第１回目〜第４回目の試行例を示す。第１回目〜第４回目の時間測定では、アクイジションメモリ１１〜１３の何れか１個、加算メモリ９、及び、カウンタメモリ８の記憶内容が、測定時間である１００ｍｓの周期で更新されていく。
【００１８】
同図（ａ）に示すように、第１回目の時間測定では、アクイジションメモリ１１に第１回目の測定データが、カウンタメモリ８に“１”が格納され、加算メモリ９の記憶内容は、第１回目の測定データのみになる。同図（ｂ）に示すように、第２回目の時間測定では、アクイジションメモリ１２に第２回目の測定データが、カウンタメモリ８に“２”が格納され、加算メモリ９の記憶内容は、第１回目の測定データと第２回目の測定データとの合計値になる。
【００１９】
同図（ｃ）に示すように、第３回目の時間測定では、アクイジションメモリ１３に第３回目の測定データが、カウンタメモリ８に“３”が格納され、加算メモリ９の記憶内容は、第１回目〜第３回目の測定データの合計値になる。同図（ｄ）に示すように、第４回目の時間測定では、アクイジションメモリ１１に第４回目の測定データが、カウンタメモリ８に“１”が格納され、加算メモリ９の記憶内容は、第２回目〜第４回目の測定データの合計値になる。
【００２０】
電圧値１０５は、加算メモリ９が更新される１００ｍｓの周期で変化するので、３００ｍｓの周期で変化する従来の場合に比して、メータ部６のアナログメータの指針は滑らかに動く。
【００２１】
なお、ＤＡコンバータでジッタ値をアナログ電圧に変換し、ジッタ信号として外部に出力する際にも、同様に滑らかなジッタ信号の出力波形を観測できる。
【００２２】
上記実施形態例によれば、測定データを数値化してから電圧値を求めるまでの過程が全てディジタル的に処理されるので、測定確度の高いジッタ値が求めれ、且つ、ゲート時間を数回に分割した測定時間ごとにジッタ値が更新されるので、連続的なジッタ値の変化が視認できる。
【００２３】
以上、本発明をその好適な実施形態例に基づいて説明したが、本発明のジッタアナライザは、上記実施形態例の構成にのみ限定されるものでなく、上記実施形態例の構成から種々の修正及び変更を施したジッタアナライザも、本発明の範囲に含まれる。
【００２４】
【発明の効果】
以上説明したように、本発明のジッタアナライザでは、測定データを数値化してから電圧値を求めるまでの過程が全てディジタル的に処理されるので、測定確度の高いジッタ値が求めれ、且つ、ゲート時間を数回に分割した測定時間ごとにジッタ値が更新されるので、連続的なジッタ値の変化が視認できる。
【００２５】
また、測定確度の高いジッタ値を滑らかな変化のジッタ信号として外部に出力できるので、外部からのコンピュータへのデータの取込みは、通信インターフェイスやプログラムを必要としない。
【図面の簡単な説明】
【図１】本発明の一実施形態例のジッタアナライザのブロック図である。
【図２】図１のジッタアナライザの前面の様子を示す。
【図３】図１のジッタアナライザによる時間測定の動作を示すフローチャートである。
【図４】同図（ａ）〜（ｄ）は、図３の時間測定の第１回目〜第４回目の試行例を示す。
【図５】従来のジッタアナライザのブロック図である。
【符号の説明】
１  測定時間設定部
２  時間測定部
３  ジッタ算出部
４  ジッタ値メモリ
５  メータ制御部
６  メータ部
７  分割数メモリ
８  カウンタメモリ
９  加算メモリ
１０〜２１  アクイジションメモリ（測定デ―タ記憶部）
１０１  被測定信号
１０２  測定制御情報
１０３  測定データ
１０４  計測ジッタ値
１０５  電圧値
【図１】
0004048556.tif 000002
【図２】
0004048556.tif 000003
【図３】
0004048556.tif 000004
【図４】
0004048556.tif 000005
【図５】
0004048556.tif 000006